(57)【要約】      （修正有）【課題】作品に対する利用者の行動に基づいて印刷情報を編集する情報処理プログラム及び情報処理装置を提供する。【解決手段】情報処理装置１は、作品７ａ−７ｅを鑑賞中の利用者６の位置情報を取得する位置情報取得手段と、位置情報取得手段が取得した位置情報と作品７ａ−７ｅの位置情報とから利用者６の行動の履歴を示す行動履歴情報を生成する行動履歴生成手段と、行動履歴情報に基づいて印刷装置２において作品７ａ−７ｅに関する印刷物２０を印刷するための基本印刷情報を編集して編集印刷情報とする印刷情報編集手段とを有する。【選択図】図１
2015005036.tif 000002
【特許請求の範囲】
【請求項１】
コンピュータを、
作品を鑑賞する利用者の位置情報を取得する取得手段と、
前記取得手段が取得した前記位置情報と、前記作品の位置情報とから前記利用者の前記作品に対する行動の履歴を示す行動履歴情報を生成する生成手段と、
前記行動履歴情報に基づいて印刷装置において前記作品に関する印刷物を印刷するための印刷情報を編集する編集手段として機能させるための情報処理プログラム。
【請求項２】
前記コンピュータを、
前記編集手段において、前記行動履歴情報に基づいて前記印刷情報を編集する基準を予め定めた複数の基準から選択する選択手段としてさらに機能させる請求項１に記載の情報処理プログラム。
【請求項３】
前記編集手段は、基本となる印刷情報である基本印刷情報を編集して編集印刷情報とする請求項１又は２に記載の情報処理プログラム。
【請求項４】
前記編集手段は、前記印刷情報の印刷レイアウトを変更する請求項１−３のいずれか１項に記載の情報処理プログラム。
【請求項５】
作品を鑑賞する利用者の位置情報を取得する取得手段と、
前記取得手段が取得した前記位置情報と、前記作品の位置情報とから前記利用者の前記作品に対する行動の履歴を示す行動履歴情報を生成する生成手段と、
前記行動履歴情報に基づいて印刷装置において前記作品に関する印刷物を印刷するための印刷情報を編集する編集手段とを有する情報処理装置。
【発明の詳細な説明】
【技術分野】
【０００１】
本発明は、情報処理プログラム及び情報処理装置に関する。
【背景技術】
【０００２】
従来の技術として、利用者の申し込んだ情報に合わせて編集された新聞を出力する情報処理装置が提案されている（例えば、特許文献１参照）。
【０００３】
特許文献１に開示された情報処理装置は、購買申込み手続をした利用者の申込情報を記憶し、新聞の元データを申込情報に基づいて編集し、編集された情報を利用者からの発行要求に基づいて印刷装置に出力する。印刷装置において印刷された新聞は利用者に配送され、利用者は当該新聞を受け取る。
【先行技術文献】
【特許文献】
【０００４】
【特許文献１】特開２００２−２９８０１７号公報
【発明の概要】
【発明が解決しようとする課題】
【０００５】
本発明の目的は、作品に対する利用者の行動に基づいて印刷情報を編集する情報処理プログラム及び情報処理装置を提供することにある。
【課題を解決するための手段】
【０００６】
本発明の一態様は、上記目的を達成するため、以下の情報処理プログラム及び情報処理装置を提供する。
【０００７】
［１］コンピュータを、
作品を鑑賞する利用者の位置情報を取得する取得手段と、
前記取得手段が取得した前記位置情報と、前記作品の位置情報とから前記利用者の前記作品に対する行動の履歴を示す行動履歴情報を生成する生成手段と、
前記行動履歴情報に基づいて印刷装置において前記作品に関する印刷物を印刷するための印刷情報を編集する編集手段として機能させるための情報処理プログラム。
【０００８】
［２］前記コンピュータを、
前記編集手段において、前記行動履歴情報に基づいて前記印刷情報を編集する基準を予め定めた複数の基準から選択する選択手段としてさらに機能させる前記[１]に記載の情報処理プログラム。
【０００９】
［３］前記編集手段は、基本となる印刷情報である基本印刷情報を編集して編集印刷情報とする請求項１又は２に記載の情報処理プログラム。
【００１０】
［４］前記編集手段は、前記印刷情報の印刷レイアウトを変更する前記[１]−[３]のいずれかに記載の情報処理プログラム。
【００１１】
［５］作品を鑑賞する利用者の位置情報を取得する取得手段と、
前記取得手段が取得した前記位置情報と、前記作品の位置情報とから前記利用者の前記作品に対する行動の履歴を示す行動履歴情報を生成する生成手段と、
前記行動履歴情報に基づいて印刷装置において前記作品に関する印刷物を印刷するための印刷情報を編集する編集手段とを有する情報処理装置。
【発明の効果】
【００１２】
請求項１又は５に係る発明によれば、作品に対する利用者の行動に基づいて印刷情報を編集することができる。
【００１３】
請求項２に係る発明によれば、予め定めた基準を選択して、作品に対する利用者の行動に基づいて印刷情報を編集することができる。
【００１４】
請求項３に係る発明によれば、基本となる印刷情報を元に、作品に対する利用者の行動に基づいて印刷情報を編集することができる。
【００１５】
請求項４に係る発明によれば、利用者の行動に基づいて印刷情報の印刷レイアウトを編集することができる。
【図面の簡単な説明】
【００１６】
【図１】図１は、実施の形態に係る情報処理システムの構成の一例を示す概略図である。
【図２】図２は、実施の形態に係る情報処理サーバの構成例を示すブロック図である。
【図３】図３は、行動履歴情報の構成の一例を示す概略図である。
【図４】図４は、編集基準情報の構成の一例を示す概略図である。
【図５】図５は、基本印刷情報の構成の一例を示す概略図である。
【図６】図６は、編集印刷情報の構成の一例を示す概略図である。
【図７】図７は、基本印刷情報の構成の他の例を示す概略図である。
【図８】図８は、編集印刷情報の構成の他の例を示す概略図である。
【図９】図９は、基本印刷情報の構成の他の例を示す概略図である。
【図１０】図１０は、編集印刷情報の構成の他の例を示す概略図である。
【図１１】図１１は、情報処理サーバの動作例を示すフローチャートである。
【発明を実施するための形態】
【００１７】
［実施の形態］
（情報処理システムの構成）
図１は、実施の形態に係る情報処理システムの構成の一例を示す概略図である。
【００１８】
この情報処理システム５は、情報処理サーバ１、印刷装置２と、携帯端末３とをネットワーク４によって互いに通信可能に接続することで構成される。なお、印刷装置２及び携帯端末３は、１台を図示しているが、複数台接続されるものであってもよい。
【００１９】
情報処理サーバ１は、情報処理装置であって、情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。情報処理サーバ１は、一例として、利用者６が美術館や博物館等の展示会場において展示された作品７ａ−７ｅを鑑賞しながら鑑賞経路Ｒに沿って移動した場合に、利用者６の位置情報を携帯端末３から取得して、当該鑑賞経路Ｒや行動の履歴に基づいて利用者６に応じた内容を有する、展覧会の小冊子やパンフレット等の印刷物２０を印刷装置２に印刷させるものである。
【００２０】
印刷装置２は、少なくとも印刷機能を有し、情報を処理するための機能を有するＣＰＵや不揮発性メモリ等の電子部品を備える。印刷装置２は、情報処理サーバ１の出力する情報に基づいて用紙に印刷することで印刷物２０を出力する。また、印刷装置２は、さらにスキャナ、コピー、ファクシミリの機能を有してもよい。一例として、印刷装置２は、美術館や博物館等の展示会場の出口付近に設置され、作品７ａ−７ｅを鑑賞し終えた利用者６に印刷物２０を印刷する。
【００２１】
携帯端末３は、携帯電話やタブレット型端末等の情報処理装置であって、情報を処理するための機能を有するＣＰＵやフラッシュメモリ等の電子部品を備える。携帯端末３は、少なくとも位置情報を取得する機能を有し、取得した位置情報を利用者６の識別情報とともに情報処理サーバ１に送信する。なお、位置情報の送信は逐次行ってもよいし、予め定めたタイミングで行ってもよい。
【００２２】
また、携帯端末３の位置情報を取得する手段としては、以下の物が挙げられる。例えば、携帯端末３にＧＰＳ（Ｇｌｏｂａｌ  Ｐｏｓｉｔｉｏｎｉｎｇ  Ｓｙｓｔｅｍ）を設けて、位置情報を取得し、さらに電子コンパスを設けて利用者６の向いている方向を取得する。
【００２３】
また、他の例として、携帯端末３のマイクを利用し、作品７ａ−７ｅの近傍にそれぞれ異なる音波を出力するスピーカーを設けて、携帯端末３で受信した音波に基づいて利用者６の位置、方向等を測定してもよい。
【００２４】
また、携帯端末３の代わりにＲＦＩＤ（Ｒａｄｉｏ  Ｆｒｅｑｕｅｎｃｙ  ＩＤｅｎｔｉｆｉｃａｔｉｏｎ）タグを所持させ、作品７ａ−７ｅ付近にタグの通過を読み取るゲートを設置して利用者６の位置を特定してもよい。また、非接触カードを所持させ、作品７ａ−７ｅ付近にカード読み取り機を設置してもよい。
【００２５】
また、携帯端末３の代わりに作品７ａ−７ｅの鑑賞エリアに入ると当該作品の解説を音声や画像等を用いて行う作品鑑賞専用端末を所持させ、鑑賞エリアに入った時間や回数等を測定してもよい。
【００２６】
ネットワーク４は、高速通信が可能な通信ネットワークであり、例えば、イントラネットやＬＡＮ（Ｌｏｃａｌ  Ａｒｅａ  Ｎｅｔｗｏｒｋ）等の私設の通信網又はインターネット等の公衆の通信網であり、有線、無線は問わない。
【００２７】
（情報処理サーバの構成）
図２は、実施の形態に係る情報処理サーバ１の構成例を示すブロック図である。
【００２８】
情報処理サーバ１は、ＣＰＵ等から構成され、各部を制御するとともに、各種のプログラムを実行する制御部１０と、フラッシュメモリ等の記憶媒体から構成され情報を記憶する記憶部１１と、ネットワーク４を介して外部と通信する通信部１２とを備える。
【００２９】
制御部１０は、後述する情報処理プログラム１１０を実行することで、位置情報取得手段１００、行動履歴生成手段１０１、編集基準選択手段１０２、印刷情報編集手段１０３及び出力手段１０４等として機能する。
【００３０】
位置情報取得手段１００は、通信部１２を介して携帯端末３から経時的に位置情報を取得し、経路情報１１１として記憶部１１に格納する。
【００３１】
行動履歴生成手段１０１は、作品７ａ−７ｅに対する利用者６の行動の履歴を、経路情報１１１に基づいて生成する。生成方法については後述する。
【００３２】
編集基準選択手段１０２は、情報処理サーバ１の管理者又は利用者６の操作に応じて、編集基準情報１１４から一の編集基準を選択する。編集基準情報１１４は、基本となる印刷情報である基本印刷情報１１３を編集して編集印刷情報１１５を生成する際に、編集の基準とする項目を定義する情報である。
【００３３】
印刷情報編集手段１０３は、編集基準選択手段１０２が選択した編集基準に基づいて基本印刷情報１１３を編集して編集印刷情報１１５を生成する。
【００３４】
出力手段１０４は、印刷情報編集手段１０３が編集した編集印刷情報１１５を印刷装置２に出力する。
【００３５】
記憶部１１は、制御部１０を上述した各手段１００−１０４として動作させる情報処理プログラム１１０、経路情報１１１、行動履歴情報１１２、基本印刷情報１１３、編集基準情報１１４及び編集印刷情報１１５等を記憶する。
【００３６】
なお、基本印刷情報１１３は、編集印刷情報１１５を生成するための基本となる印刷情報であって、管理者等によって予め作成されるものである。管理者は、標準的な鑑賞経路を予め定めて、当該標準的な鑑賞経路と、編集基準情報１１４のいずれかから選択された基準又は独自に定めた標準的な基準とに基づいて収録する作品を選択し、選択した作品を予め定めたレイアウトに対して収録することで基本印刷情報１１３を作成する。なお、複数のレイアウトに対して選択した作品を収録して複数の基本印刷情報１１３を用意してもよい。
【００３７】
図３は、行動履歴情報１１２の構成の一例を示す概略図である。
【００３８】
行動履歴情報１１２ａは、作品７ａ−７ｅに対応付けられた識別子である作品ＩＤと、利用者６が作品７ａ−７ｅのそれぞれを鑑賞した回数を示す鑑賞回数と、利用者６が作品７ａ−７ｅのそれぞれを鑑賞した方向を示す鑑賞方向と、利用者６が作品７ａ−７ｅのそれぞれの付近に滞在した時間を示す滞在時間とを有する。
【００３９】
図４は、編集基準情報１１４の構成の一例を示す概略図である。
【００４０】
編集基準情報１１４ａは、編集基準の識別子である基準ＩＤと、編集基準の名称を示す基準名と、行動履歴情報１１２のいずれの項目を第１に優先するかを示す優先度１、第２に優先するかを示す優先度２…とを有する。
【００４１】
（情報処理システムの動作）
次に、本実施の形態の作用を、（１）基本動作、（２）行動履歴生成動作、（３）印刷情報編集動作に分けて説明する。
【００４２】
（１）基本動作
まず、利用者６は携帯端末３を所持して、美術館や博物館等の展示会場において展示された作品７ａ−７ｅを鑑賞しながら鑑賞経路Ｒに沿って移動する。
【００４３】
携帯端末３は、利用者６が移動する間、一例として、ＧＰＳにより位置情報を取得し、電子コンパスにより利用者６の向いている方向の情報を取得する。また、携帯端末３は、取得した位置情報及び方向の情報をネットワーク４を介して情報処理サーバ１に送信する。
【００４４】
図１１は、情報処理サーバ１の動作例を示すフローチャートである。
【００４５】
情報処理サーバ１の位置情報取得手段１００は、携帯端末３から位置情報及び方向の情報を経時的に受信する（Ｓ１）。次に、位置情報取得手段１００は、経時的に取得した一連の位置情報及び方向の情報を経路情報１１１として記憶部１１に格納する（Ｓ２）。なお、位置情報及び方向の情報は、携帯端末３に経時的に蓄積されたものを、まとめて情報処理サーバ１が受信するものであってもよい。
【００４６】
（２）行動履歴生成動作
次に、行動履歴生成手段１０１は、利用者６が鑑賞を終了し、利用者６から印刷物２０の印刷が要求されると、作品７ａ−７ｅに対する利用者６の行動の履歴を、経路情報１１１と作品７ａ−７ｅの位置情報及び配置方向とに基づいて生成する（Ｓ３）。
【００４７】
行動履歴生成手段１０１は、図３に示す行動履歴情報１１２ａの項目を経路情報１１１に基づいて生成するものであって、「鑑賞回数」は作品の訪問回数から、「鑑賞方向」は方向の情報から、「滞在時間」は作品の付近に滞在した時間から生成する。一例として、作品７ｃに対応する作品ＩＤ「７０ｃ」は、鑑賞回数が「３」回であり、各鑑賞につき「右」から「１ｓｅｃ」、「左」から「６０ｓｅｃ」、「左」から「６３ｓｅｃ」だけ利用者６によって鑑賞されていることを示す。
【００４８】
（３）印刷情報編集動作
次に、編集基準選択手段１０２は、情報処理サーバ１の管理者又は利用者６の操作に応じて、編集基準情報１１４から一の編集基準を選択する（Ｓ４）。
【００４９】
編集基準選択手段１０２は、図４に示す編集基準情報１１４ａのいずれかから編集基準を選択する。例えば、基準ＩＤ「００１」は、基準名が「滞在時間順」であって、利用者６が長く滞在した作品又は鑑賞回数が多かった作品を優先して基本印刷情報１１３を編集するものである。なお、滞在時間は、混雑時等は利用者６が興味がない作品に対しても長くなる可能性があるため、他の利用者の滞在時間との相対的な評価にしてもよい。
【００５０】
また、基準ＩＤ「００２」は、基準名が「テーマ別滞在時間順」であって、利用者６が長く滞在した同一テーマの作品又は鑑賞回数が多かった同一テーマの作品を優先して基本印刷情報１１３を編集するものである。
【００５１】
また、基準ＩＤ「００３」は、基準名が「見逃しルート」であって、利用者６の鑑賞回数が０回の作品又は滞在時間が１０秒以下の作品を優先して基本印刷情報１１３を編集するものである。
【００５２】
以下の説明では、基準ＩＤ「００１」が選択された場合について説明する。
【００５３】
印刷情報編集手段１０３は、編集基準選択手段１０２が選択した基準ＩＤ「００１」の編集基準に基づいて基本印刷情報１１３を編集して（Ｓ５）、編集印刷情報１１５を生成する（Ｓ６）。以下において、基本印刷情報１１３の具体例と、基本印刷情報１１３が編集された編集印刷情報１１５の例を説明する。なお、管理者によって、いずれの基本印刷情報１１３を選択するか決定してもよいし、利用者６に選択させてもよい。
【００５４】
なお、以下の基本印刷情報１１３の例と、編集印刷情報１１５の例は、１ページのものについて説明しているが、１２ページ、１６ページ、３２ページ、９６ページ等の複数ページに渡るものであってもよく、選択された編集基準によって並べ替えられた作品の上位から、ページ数に応じて作品を選出するものとする。
【００５５】
図５は、基本印刷情報１１３の構成の一例を示す概略図である。
【００５６】
基本印刷情報１１３ａは、基本となる印刷情報の一例であって、作品ＩＤ「７０ｅ」、「７０ｃ」、「７０ｄ」に該当する作品の画像がレイアウトされるものである。なお、作品ＩＤ「７０ｅ」がメインの画像として他の画像より大きく配置される。
【００５７】
印刷情報編集手段１０３は、基本印刷情報１１３ａにおいて、作品ＩＤ「７０ｅ」の滞在時間「０ｓｅｃ」より作品ＩＤ「７０ｃ」の滞在時間「１２４ｓｅｃ」が多いため、図６に示すように、作品ＩＤ「７０ｃ」をメインの画像とし、作品ＩＤ「７０ｅ」の画像とレイアウトを入れ替える。
【００５８】
図６は、編集印刷情報１１５の構成の一例を示す概略図である。
【００５９】
基本印刷情報１１５ａは、編集後の印刷情報の一例であって、作品ＩＤ「７０ｃ」、「７０ｅ」、「７０ｄ」に該当する作品の画像がレイアウトされるものである。なお、作品ＩＤ「７０ｃ」がメインの画像として配置される。
【００６０】
図７は、基本印刷情報１１３の構成の他の例を示す概略図である。
【００６１】
基本印刷情報１１３ｂは、基本となる印刷情報の他の例であって、作品ＩＤ「７０ｅ」に該当する作品の画像が１枚のみレイアウトされるものである。
【００６２】
印刷情報編集手段１０３は、基本印刷情報１１３ｂにおいて、作品ＩＤ「７０ｅ」の滞在時間「０ｓｅｃ」より作品ＩＤ「７０ｃ」の滞在時間「１２４ｓｅｃ」が多いため、図８に示すように、作品ＩＤ「７０ｃ」を作品ＩＤ「７０ｅ」の画像と入れ替える。
【００６３】
図８は、編集印刷情報１１５の構成の他の例を示す概略図である。
【００６４】
基本印刷情報１１５ｂは、編集後の印刷情報の他の例であって、作品ＩＤ「７０ｃ」に該当する作品の画像がレイアウトされるものである。
【００６５】
図９は、基本印刷情報１１３の構成の他の例を示す概略図である。
【００６６】
基本印刷情報１１３ｃは、基本となる印刷情報の他の例であって、なるべく多くの作品を掲載できるよう、作品ＩＤ「７０ａ」、「７０ｆ」、「７０ｇ」、「７０ｈ」、「７０ｂ」に該当する作品の画像がそれぞれ均等にレイアウトされるものである。
【００６７】
印刷情報編集手段１０３は、基本印刷情報１１３ｃにおいて、作品ＩＤ「７０ｂ」の滞在時間「１５ｓｅｃ」より作品ＩＤ「７０ｃ」の滞在時間「１２４ｓｅｃ」が多いため、図１０に示すように、作品ＩＤ「７０ｃ」を作品ＩＤ「７０ｂ」の画像とレイアウトを入れ替える。
【００６８】
図１０は、編集印刷情報１１５の構成の他の例を示す概略図である。
【００６９】
基本印刷情報１１５ｃは、編集後の印刷情報の一例であって、作品ＩＤ「７０ａ」、「７０ｆ」、「７０ｇ」、「７０ｈ」、「７０ｃ」に該当する作品の画像がレイアウトされるものである。
【００７０】
出力手段１０４は、印刷情報編集手段１０３が編集した編集印刷情報１１５を印刷装置２に出力する（Ｓ７）。
【００７１】
印刷装置２は、情報処理サーバ１から編集印刷情報１１５を受信し、印刷を実行して印刷物２０を出力する。
【００７２】
利用者６は、利用者６向けに編集された印刷物２０を受け取る。
【００７３】
（実施の形態の効果）
上記した実施の形態によると、利用者６の経路や行動の履歴に基づいて基本印刷情報１１３を編集したため、利用者６の嗜好を反映した展覧会の小冊子やパンフレット等の印刷物２０を印刷することができる。
【００７４】
［他の実施の形態］
なお、本発明は、上記実施の形態に限定されず、本発明の趣旨を逸脱しない範囲で種々な変形が可能である。例えば、基本印刷情報１１３を編集して編集印刷情報１１５を生成せずに、編集基準情報１１４に関連付けてテンプレート等を用意し、当該テンプレートに作品の画像をレイアウトするように最初から印刷情報を生成してもよい。また、印刷情報編集手段１０３は、経路情報１１１が基準となる経路からどれだけ外れているかを特徴量として算出し、当該特徴量に基づいて基本印刷情報１１３を編集してもよい。
【００７５】
上記実施の形態では制御部１０の各手段１００〜１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００７６】
１     情報処理サーバ
２     印刷装置
３     携帯端末
４     ネットワーク
５     情報処理システム
６     利用者
７ａ−７ｅ    作品
１０   制御部
１１   記憶部
１２   通信部
２０   印刷物
１００ 位置情報取得手段
１０１ 行動履歴生成手段
１０２ 編集基準選択手段
１０３ 印刷情報編集手段
１０４ 出力手段
１１０ 情報処理プログラム
１１１ 経路情報
１１２ 行動履歴情報
１１３ 基本印刷情報
１１４ 編集基準情報
１１５ 編集印刷情報
【図２】
2015005036.tif 000003
【図３】
2015005036.tif 000004
【図４】
2015005036.tif 000005
【図１１】
2015005036.tif 000006
【図１】
2015005036.tif 000007
【図５】
2015005036.tif 000008
【図６】
2015005036.tif 000009
【図７】
2015005036.tif 000010
【図８】
2015005036.tif 000011
【図９】
2015005036.tif 000012
【図１０】
2015005036.tif 000013